(57)【要約】【課題】押圧範囲の面積を変えてマッサージを行うことのできる空気袋装置とマッサージ装置を提供する。【解決手段】膨縮によりマッサージを行う外側空気袋３０ａと、この外側空気袋３０ａの中に配置されるとともにこの外側空気袋３０ａより小さく且つ膨縮によりマッサージを行う内側空気袋３０ｂとを備え、外側空気袋３０ａと内側空気袋３０ｂとを互いに独立して膨縮可能にした。【選択図】図２
2004202091.tif 000002
【特許請求の範囲】
【請求項１】
膨縮によりマッサージを行う外側空気袋と、この外側空気袋の中に配置されるとともにこの外側空気袋より小さく且つ膨縮によりマッサージを行う内側空気袋とを備え、前記外側空気袋と内側空気袋とを互いに独立して膨縮可能にしたことを特徴とする空気袋装置。
【請求項２】
人体当接面側となる前記外側空気袋の側面と、この側面に対向する内側空気袋の側面との間に揉み玉を設けたことを特徴とする請求項１に記載の空気袋装置。
【請求項３】
前記外側空気袋を柔らかい材質で構成し、前記内側空気袋を外側空気袋の材質より硬い材質で構成したことを特徴とする請求項１または請求項２に記載の空気袋装置。
【請求項４】
請求項１ないし請求項３のいずれか１つに記載の空気袋装置を備えたことを特徴とするマッサージ装置。
【発明の詳細な説明】
【０００１】
【発明の属する技術分野】
この発明は、膨縮によってマッサージを行う空気袋装置と、この空気袋装置を備えたマッサージ装置とに関する。
【０００２】
【従来の技術】
従来から、図８に示すように首部をマッサージするマッサージ装置が知られている（特許文献１）。
【０００３】
かかるマッサージ装置は、ベース１に一対のエアバック２、３を取り付け、このエアバック２、３の上に配置するとともにエアバック２、３の間に回動支点１２を有する回動板３、４を設け、さらにこの回動板３、４の上にエアバック６、７を取り付け、このエアバック６、７の上に配置するとともに回動支点１２を有する回動板８、９を設け、この回動板８、９に揉み玉１０、１１を設けたものである。
【０００４】
このマッサージ装置によれば、エアバック２とエアバック６がエアバック３とエアバック７が重ねられた状態となっているので、両エアバック２、６（３、７）を膨張させることにより回動板８、９を大きく回動させることができ、揉み玉１０、１１によって首部を強い力で押圧することができることになる。
【０００５】
【特許文献１】
特開２００２−２８２０８号公報（段落３５、図９参照）
【０００６】
【発明が解決しようとする課題】
しかしながら、このようなマッサージ装置にあっては、２つのエアバック２、６（３、７）を重ねて回動板８、９を大きく回動させることにより揉み玉１０、１１の押圧力を大きくすることができるが、揉み玉１０、１１が押す押圧範囲の面積は一定であり、その面積を変えてマッサージを行うことができなかった。
【０００７】
この発明の目的は、押圧範囲の面積を変えてマッサージを行うことのできる空気袋装置と、この空気袋装置を備えたマッサージ装置を提供することにある。
【０００８】
【課題を解決するための手段】
上記目的を達成するため、請求項１の発明は、膨縮によりマッサージを行う外側空気袋と、この外側空気袋の中に配置されるとともにこの外側空気袋より小さく且つ膨縮によりマッサージを行う内側空気袋とを備え、前記外側空気袋と内側空気袋とを互いに独立して膨縮可能にしたことを特徴とする。
【０００９】
【実施の形態】
以下、この発明に係るマッサージ装置の実施の形態を図面に基づいて説明する。
【００１０】
図１に示す椅子式のマッサージ装置２０は、座部２１と、この座部２１の後ろに設けた背凭れ部２２と、座部２１の両側に設けたアームレスト部２３,２４と、座部２１の下側に設けられた給排気装置５０（図６参照）とを有している。背凭れ部２２はリクライニングが可能となっている。
【００１１】
背凭れ部２２の前面には、上背中用の一対の空気袋装置３０,３０と、中背中用の一対の空気袋装置３１,３１と、下背中用の一対の空気袋装置３２,３２と、腰用の一対の空気袋装置３３,３３とが配置されている。
【００１２】
図２に示すように、空気袋装置３０は、膨縮によりマッサージを行う外側空気袋３０ａと、この外側空気袋３０ａの中に配置されるとともにこの外側空気袋３０ａより小さく且つ膨縮によりマッサージを行う内側空気袋３０ｂとを備えている。また、人体当接面側となる外側空気袋３０ａの側面に対向する内側空気袋３０ｂの側面には揉み玉３４が設けられている。
【００１３】
外側空気袋３０ａの一端側（図２において右側）には給排気用の管部材３５が設けられており、この管部材３５が背凭れ部２２のフレーム（図示せず）に取り付けられたベース２６に固着され、この管部材３５の固着により外側空気袋３０ａがベース２６に固定されている。管部材３５の一端は外側空気袋３０ａに連通しており、管部材３５の他端は椅子に配設されたホース５５ａ（図６参照）に接続されている。
【００１４】
外側空気袋３０ａの他端（図２において左側）には内方へ突出する円形の筒部３０ａ１が形成されており、この筒部３０ａ１が管部材３６によってベース２６に固定されている。また、この管部材３６は内側空気袋３０ｂを外側空気袋３０ａの筒部３０ａ１に固定している。そして、管部材３６の一端は内側空気袋３０ｂ内に連通し、管部材３６の他端はホース５５ａに接続されている。
【００１５】
他の空気袋装置３１〜３３の構成についても空気袋装置３０の構成と同様であるので、その説明は省略する。
【００１６】
給排気装置５０は、図６に示すように、ポンプ５１と複数の電磁弁５２ａ１,５２ａ２、５２ｂ１,５２ｂ２、５３ａ１,５３ａ２、５３ｂ１,５３ｂ２…と制御装置５４とを有している。制御装置５４は、リモートコントロール装置３７の操作に基づいてポンプ５１や各電磁弁５２ａ１,５２ａ２、５２ｂ１,５２ｂ２、５３ａ１,５３ａ２、５３ｂ１,５３ｂ２…を制御するものであり、ＣＰＵ等から構成されている。
【００１７】
そして、電磁弁５２ａ１が開成され電磁弁５２ａ２が閉成されると、外側空気袋３０ａ,３０ａがポンプ５１に連通されて膨張し、電磁弁５２ａ１が閉成され電磁弁５２ａ２が開成されると、外側空気袋３０ａ,３０ａが外気と連通されて収縮していくようになっている。
【００１８】
また、電磁弁５２ｂ１が開成され電磁弁５２ａ２が閉成されると、内側空気袋３０ｂ,３０ｂがポンプ５１に連通されて膨張し、電磁弁５２ｂ１が閉成され電磁弁５２ｂ２が開成されると、内側空気袋３０ｂ,３０ｂが外気と連通されて収縮していくようになっている。
【００１９】
他の外側空気袋３１ａ〜３３ａと内側空気袋３１ｂ〜３３ｂも上記と同様にして膨縮するようになっている。
【００２０】
次に、上記のように構成されるマッサージ装置２０の動作について説明する。
【００２１】
リモートコントロール装置３７の操作により、ポンプ５１が駆動されて例えば電磁弁５２ａ１が開成され電磁弁５２ａ２が閉成されると、外側空気袋３０ａ,３０ａが図３に示すように膨張されていく。この膨張の後、電磁弁５２ａ１が閉成され電磁弁５２ａ２が開成されると、外側空気袋３０ａ,３０ａが収縮していく。これら電磁弁５２ａ１,５２ａ２の開閉動作により外側空気袋３０ａ,３０ａの膨縮が繰り返し行われてマッサージが行われる。
【００２２】
外側空気袋３０ａ,３０ａは大きいことにより、背中の上部や肩周辺部のマッサージが広範囲に亘って行われることになる。
【００２３】
次に、電磁弁５２ｂ１,５２ｂ２の開閉制御が行われた場合について説明する。
【００２４】
電磁弁５２ｂ１が開成され電磁弁５２ｂ２が閉成されると、内側空気袋３０ｂ,３０ｂが図４に示すように膨張されいく。この内側空気袋３０ｂ,３０ｂの膨張により、揉み玉３４,３４が外側空気袋３０ａ,３０ａを介して背中の上部あるいは肩を押圧していき、揉み玉３４,３４による指圧効果を得ることができる。すなわち、揉み玉３４,３４は背中の上部や肩を狭い範囲で押圧してマッサージすることになる。
【００２５】
このように、外側空気袋３０ａ,３０ａの膨縮によって背中の上部や肩を広範囲に亘って押圧してマッサージを行っていき、内側空気袋３０ｂ,３０ｂの膨張によって揉み玉３４,３４による指圧効果が得られ、同じ部位に対して２種類のマッサージを行うことができる。換言すれば、揉み玉３４,３４による押圧範囲が狭いことにより、押圧範囲の面積を変えてマッサージを行うことができる。
【００２６】
また、電磁弁５２ａ１の開成により外側空気袋３０ａ,３０ａが図５に示す大きさまで膨張したら、電磁弁５２ａ１を閉成してその外側空気袋３０ａ,３０ａの膨張を維持させることにより、揉み玉３４,３４が人体に当接しないようにすることができる。
【００２７】
すなわち、各外側空気袋３０ａ,３０ａ〜３３ａ,３３ａを所定の大きさに膨張させることにより、背もたれに寄り掛かって揉み玉３４,３４に触れてしまうことがなく、心地よい椅子として使用することができる。
【００２８】
上記実施形態では、揉み玉３４,３４を内側空気袋３０ｂ,３０ｂ〜３３ｂ,３３ｂに設けているが、図７に示すように、外側空気袋３０ａ,３０ａ〜３３ａ,３３ａに設けてもよく、また、揉み玉３４を省略してもよい。この場合も、押圧範囲の面積を変えてマッサージを行うことができる。
【００２９】
また、揉み玉３４を省略して外側空気袋３０ａ,３０ａ〜３３ａ,３３ａの材質を柔らかくし、内側空気袋３０ｂ,３０ｂ〜３３ｂ,３３ｂの材質を硬いものにすれば、大きい外側空気袋３０ａ,３０ａ〜３３ａ,３３ａの膨縮により広範囲に亘ってソフトタッチのマッサージを行うことができ、小さい内側空気袋３０ｂ,３０ｂ〜３３ｂ,３３ｂの膨張により人体の部位を局所的に強く押圧することができ、感触の異なるマッサージを行うことができる。
【００３０】
さらに、内側空気袋３０ｂ,３０ｂ〜３３ｂ,３３ｂが背骨に沿うように空気袋装置３０〜３３,３０〜３３を背凭れ部２２に配置すれば、背骨の両側をその背骨に沿って揉み玉３４で押圧していくことができ、ツボが多く存在する背骨の両側を押圧する指圧効果が得られることになる。
【００３１】
【発明の効果】
以上説明したように、この発明によれば、押圧範囲の面積を変えてマッサージを行うことのできる。
【図面の簡単な説明】
【図１】この発明に係るマッサージ装置の外観を示した斜視図である。
【図２】この発明に係る空気袋装置の構成を示した断面図である。
【図３】図２に示す空気袋装置の外側空気袋が膨張した状態を示した説明図である。
【図４】図２に示す空気袋装置の内側空気袋が膨張した状態を示した説明図である。
【図５】外側空気袋を所定の大きさまで膨張させた状態を示した説明図である。
【図６】給排気装置の構成を示したブロック図である。
【図７】他の例の空気袋装置を示した説明図である。
【図８】従来のマッサージ装置を示した説明図である。
【符号の説明】
３０〜３３      空気袋装置
３０ａ〜３３ａ  外側空気袋
３０ｂ〜３３ｂ  内側空気袋
【図１】
2004202091.tif 000003
【図２】
2004202091.tif 000004
【図３】
2004202091.tif 000005
【図４】
2004202091.tif 000006
【図５】
2004202091.tif 000007
【図６】
2004202091.tif 000008
【図７】
2004202091.tif 000009
【図８】
2004202091.tif 000010